(57)【要約】【課題】受信性能を向上させた受信装置を得ること。【解決手段】本発明は、差動変調方式が適用された通信システムの受信装置であって、受信信号を復調して第１の復調信号を生成する差動復調部３と、第１の復調信号を判定して第１の判定値を生成する仮判定部４と、第１の判定値を差動変調して参照信号を生成する差動変調部５と、参照信号に基づくフィルタ係数で受信信号をフィルタリングして干渉抑圧後信号を生成するフィルタ部６と、干渉抑圧後信号を復調して第２の復調信号を生成する差動復調部７と、第２の復調信号を判定して第２の判定値を生成する判定部８と、第１の判定値と第２の判定値の一方を選択する選択部９と、を備える。【選択図】図１
2015154449.tif 000002
【特許請求の範囲】
【請求項１】
差動変調方式が適用された通信システムの受信装置であって、
受信信号を復調して第１の復調信号を生成する第１の差動復調部と、
前記第１の復調信号を判定して第１の判定値を生成する仮判定部と、
前記第１の判定値を差動変調して参照信号を生成する差動変調部と、
前記参照信号に基づくフィルタ係数で前記受信信号をフィルタリングして干渉抑圧後信号を生成するフィルタ部と、
前記干渉抑圧後信号を復調して第２の復調信号を生成する第２の差動復調部と、
前記第２の復調信号を判定して第２の判定値を生成する判定部と、
前記第１の判定値と前記第２の判定値の一方を選択する選択部と、
を備えることを特徴とする受信装置。
【請求項２】
前記選択部は、前記第１の復調信号から得られる分散値および前記第２の復調信号から得られる分散値に基づいて前記第１の判定値と前記第２の判定値の一方を選択することを特徴とする請求項１に記載の受信装置。
【請求項３】
前記第１の判定部および前記判定部が軟判定を行い、
前記選択部は、前記第１の判定値の分散値および前記第２の判定値の分散値に基づいて前記第１の判定値と前記第２の判定値の一方を選択することを特徴とする請求項１に記載の受信装置。
【請求項４】
前記受信信号が複数の送信アンテナを用いて送信されたものの場合、
前記差動変調部は、前記複数の送信アンテナに対応する複数の参照信号を生成し、
前記フィルタ部は、前記複数の参照信号それぞれに基づく複数のフィルタ係数で前記受信信号をフィルタリングして前記複数の参照信号それぞれに対応する複数の干渉抑圧後信号を生成し、
前記第２の差動復調部は、前記複数の干渉抑圧後信号それぞれを復調して複数の第２の復調信号を生成し、
前記判定部は、前記複数の第２の復調信号それぞれを判定して複数の第２の判定値を生成し、
前記選択部は、前記第１の判定値、または、前記複数の第２の判定値を合成して得られた合成後の第２の判定値、を選択することを特徴とする請求項１、２または３に記載の受信装置。
【請求項５】
前記フィルタ部は、既知系列が伝送される時間区間においては既知系列に基づくフィルタ係数で前記受信信号をフィルタリングし、既知系列が伝送される時間区間以外においては前記参照信号に基づくフィルタ係数で前記受信信号をフィルタリングすることを特徴とする請求項１から４のいずれか一つに記載の受信装置。
【請求項６】
前記差動変調方式が差動時空間符号化方式であることを特徴とする請求項１から５のいずれか一つに記載の受信装置。
【請求項７】
請求項１から６のいずれか一つに記載の受信装置を備えたことを特徴とする通信装置。
【請求項８】
差動変調方式が適用された通信システムにおける受信方法であって、
受信信号を復調して第１の復調信号を生成する第１の差動復調ステップと、
前記第１の復調信号を判定して第１の判定値を生成する仮判定ステップと、
前記第１の判定値を差動変調して参照信号を生成する差動変調ステップと、
前記参照信号に基づくフィルタ係数で前記受信信号をフィルタリングして干渉抑圧後信号を生成するフィルタステップと、
前記干渉抑圧後信号を復調して第２の復調信号を生成する第２の差動復調ステップと、
前記第２の復調信号を判定して第２の判定値を生成する判定ステップと、
前記第１の判定値と前記第２の判定値の一方を選択する選択ステップと、
を含むことを特徴とする受信方法。
【発明の詳細な説明】
【技術分野】
【０００１】
本発明は、差動時空間符号化伝送により送信された信号を受信する受信装置、通信装置および受信方法に関する。
【背景技術】
【０００２】
無線信号伝送に際しては、フェージングなどの影響を抑えるためのダイバーシチ技術が使用されている。特に近年、複数の送信アンテナを用いて、特定の規則で信号を送出することで、ダイバーシチ効果を得ることができる差動時空間符号化（ＳＴＢＣ：Ｓｐａｃｅ  Ｔｉｍｅ  Ｂｌｏｃｋ  Ｃｏｄｉｎｇ）は受信装置の処理が簡易であることが特徴であり、さまざまなシステムに利用されている。
【０００３】
ＳＴＢＣでは受信装置において伝搬路推定が必要である。これに対し、差動符号化をＳＴＢＣのブロック単位で行うことで、伝送路推定を不要にする差動時空間符号化（ＤＳＴＢＣ：Ｄｉｆｆｅｒｅｎｔｉａｌ  Ｓｐａｃｅ  Ｔｉｍｅ  Ｂｌｏｃｋ  Ｃｏｄｉｎｇ）が非特許文献１で開示されている。たとえば、２アンテナ送信によるＤＳＴＢＣでは、２シンボルを１つのブロックとして構成し、２つのブロックのデータから差動符号化を行い、受信側では２つのブロックの受信データを差動復調化することで、データを復調する。このＤＳＴＢＣを適用した場合、非特許文献１に記載の通り、簡単な手法で送信ダイバーシチ効果を引き出せる受信装置を構成することができる。また、ＤＳＴＢＣと同様にブロック単位で信号処理を行うが、送信ビットを行列にマッピングして伝送し、マッピング規則に特徴を持たせることで差動変調後信号のＰＡＰＲ（Ｐｅａｋ  ｔｏ  Ａｖｅｒａｇｅ  Ｐｏｗｅｒ  Ｒａｔｉｏ）を改善するＤＳＴＭ（Ｄｉｆｆｅｒｅｎｔｉａｌ  Ｓｐａｃｅ  Ｔｉｍｅ  Ｍｏｄｕｌａｔｉｏｎ）の方式も知られており、ＤＳＴＢＣと同様に送信ダイバーシチ効果を得ることができる。
【０００４】
ＤＳＴＢＣを用いた通信システムにおいて、高速移動環境での伝搬路変動の影響を補償する方法が非特許文献２で開示されている。非特許文献２に記載された方法では、過去の受信信号と、過去に判定した信号を用いて、判定結果から、過去のいくつかのブロックに対応する時刻の伝搬路情報を生成し、重み付け加算によって差動復調に用いる２つの時刻の伝搬路の違いを補償して、性能を改善する。この方法によれば、パイロット信号を必要としない差動変調方式において、追加の既知系列付加によるスループット低下を抑えながら低演算量で、伝搬路変動の大きい環境における性能改善が可能となる。
【０００５】
一方、無線通信においては、各種の干渉が性能劣化要因となりうることが知られている。例えば、広帯域伝送を適用するシステムにおいては、伝搬路が周波数選択性を持つことで信号が歪み、正しく復調できないことが起こりうる。この現象は、マルチパス環境における遅延波によって発生し、伝搬路の特性、すなわち、遅延波数や各遅延波の位相関係、大きさによって歪み方が様々に変化するため、等化処理や信号を狭帯域化するＯＦＤＭ（Ｏｒｔｈｏｇｏｎａｌ  Ｆｒｅｑｕｅｎｃｙ  Ｄｅｖｉｓｉｏｎ  Ｍｕｌｔｉｐｌｅｘｉｎｇ）などのマルチキャリア伝送方式を用いることで対策する。前者は、一般に、受信される信号の先行波および遅延波をそれぞれ推定し、位相などを調整して合成することで、遅延波を有効に活用し、性能改善を図る。この方法では、伝搬路の推定のためにパイロット系列を必要とする。また、後者は、ＤＦＴ（Ｄｉｓｃｒｅｔｅ  Ｆｏｕｒｉｅｒ  Ｔｒａｎｓｆｏｒｍ）などの手法によって、信号を各サブキャリアに重畳して並列に伝送することによって、伝搬路の推定処理をはじめとする復調処理を簡単に実現できるが、各伝送シンボル間の干渉を除去するために、想定する最大の遅延量以上の長さのガードインターバルもしくはサイクリッププレフィクスと呼ばれる冗長な系列の付加を行うことが多い。以上のように、既知の多くの方式では冗長系列を使用してマルチパスへの対策を行っている。
【先行技術文献】
【非特許文献】
【０００６】
【非特許文献１】Ｖ．Ｔａｒｏｋｈ，Ｈ．Ｊａｆａｒｋｈａｎｉ，“Ａ  Ｄｉｆｆｅｒｅｎｔｉａｌ  Ｄｅｔｅｃｔｉｏｎ  Ｓｃｈｅｍｅ  ｆｏｒ  Ｔｒａｎｓｍｉｔ  Ｄｉｖｅｒｓｉｔｙ，”ＩＥＥＥ  Ｊｏｕｒｎａｌ  ｏｎ  Ｓｅｌｅｃｔｅｄ  Ａｒｅａｓ  ｉｎ  Ｃｏｍｍｕｎｉｃａｔｉｏｎｓ，Ｖｏｌ．１８，ｐｐ１１６９−１１７４，Ｊｕｌｙ  ２０００．
【非特許文献２】久保、「差動時空ブロック符号化のための判定帰還伝送路予測による復調方式」、信学技報ＲＣＳ２０１２−１６３、Ｎｏｖ．  ２０１２．
【発明の概要】
【発明が解決しようとする課題】
【０００７】
非特許文献２で開示されている手法は、差動符号化、特に差動時空間符号化信号を伝送するシステムで判定帰還型処理によってパイロット信号等の冗長分を付加せずに性能を向上するが、遅延波などの干渉に対しては、性能向上が期待できないという課題がある。また、等化処理やＯＦＤＭ方式については、冗長分を信号に付加し、スループットの低下を許容しなければならない。いずれの方式についても、差動変調を用いるアプリケーションとして想定される端末が高速移動する状況では、推定した伝搬路を高頻度に更新する必要があり、冗長分を付加せずに遅延波対策可能な差動信号伝送方式を実現することが必要である。また、差動時空間変調方式のように送信ダイバーシチと組み合わせて差動符号化が用いられる場合、干渉抑圧はさらに難しくなる。
【０００８】
本発明は、上記に鑑みてなされたものであって、受信性能を向上させた受信装置、通信装置および受信方法を得ることを目的とする。
【課題を解決するための手段】
【０００９】
上述した課題を解決し、目的を達成するために、本発明は、差動変調方式が適用された通信システムの受信装置であって、受信信号を復調して第１の復調信号を生成する第１の差動復調部と、前記第１の復調信号を判定して第１の判定値を生成する仮判定部と、前記第１の判定値を差動変調して参照信号を生成する差動変調部と、前記参照信号に基づくフィルタ係数で前記受信信号をフィルタリングして干渉抑圧後信号を生成するフィルタ部と、前記干渉抑圧後信号を復調して第２の復調信号を生成する第２の差動復調部と、前記第２の復調信号を判定して第２の判定値を生成する判定部と、前記第１の判定値と前記第２の判定値の一方を選択する選択部と、を備えることを特徴とする。
【発明の効果】
【００１０】
本発明によれば、パイロット信号などの冗長な信号の付加を必須とせずに遅延波をはじめとする干渉信号を抑圧することができ、その結果、受信性能を向上させた受信装置を得ることができる、という効果を奏する。また、伝搬路変動への追従性能を向上させた伝搬路推定が可能な受信装置を得ることができる、という効果を奏する。
【図面の簡単な説明】
【００１１】
【図１】図１は、実施の形態１の受信装置の構成例を示す図である。
【図２】図２は、実施の形態２の受信装置の構成例を示す図である。
【図３】図３は、実施の形態３の受信装置の構成例を示す図である。
【図４】図４は、フレーム構成例を示す図である。
【発明を実施するための形態】
【００１２】
以下に、本発明にかかる受信装置、通信装置および受信方法の実施の形態を図面に基づいて詳細に説明する。なお、この実施の形態によりこの発明が限定されるものではない。
【００１３】
実施の形態１．
図１は、本発明にかかる受信装置の実施の形態１の構成例を示す図である。本実施の形態の受信装置は、複数の受信アンテナ１、ＲＦ部２、差動復調部３、仮判定部４、差動変調部５、フィルタ部６、差動復調部７、判定部８および選択部９を備え、無線通信システムを構成する。
【００１４】
図１に示した構成の受信装置における受信動作を説明する。なお、差動符号化された信号を受信するものとする。
【００１５】
複数の受信アンテナ１で受信した信号の各々は、ＲＦ部２において、ダウンコンバージョン、ゲイン調整、帯域制限などの所定のＲＦ（Ｒａｄｉｏ  Ｆｒｅｑｕｅｎｃｙ）処理が実行された後、Ａ／Ｄ変換により信号デジタル値に変換されてから出力される。ＲＦ部２から出力された信号は差動復調部３およびフィルタ部６へ入力される。差動復調部３へ入力された信号に対しては、差動復調部３と仮判定部４の一連の処理によって既存技術と同様に復調操作および判定操作が行われ、仮判定ビット列が生成される。例えば、受信信号に差動時空間符号化が適用されている場合、差動復調部３は、変調の単位である複数の時刻のシンボルを単位とするブロックごとに行列やベクトルの乗算演算によって差動復調を行う。仮判定部４は、差動復調後の信号を硬判定する。なお、仮判定部４は、硬判定の代わりに軟判定を行って軟判定値を生成してもよく、軟判定値を生成する場合は後述の判定値選択操作において軟判定値による判定信頼度を使用することができる。仮判定部４で生成された仮判定ビットは選択部９および差動変調部５へ入力される。
【００１６】
差動変調部５は、仮判定部４で生成された仮判定値に対して差動符号化を行う。ここで行う差動符号化は、受信アンテナ１が受信した信号の送信元の送信装置が行ったものと同じ差動符号化とする。差動符号化を行って得られた信号は、送信波形（ＲＦ部２から出力された復調前の信号）と対応した参照信号としてフィルタ部６へ出力される。
【００１７】
フィルタ部６は、受信信号（ＲＦ部２から出力された信号）と参照信号（差動変調部５から出力された信号）を入力とし、フィルタリング用の係数（以下、フィルタ係数）を適応的に生成し、そのフィルタ係数を使って受信信号をフィルタリングする。フィルタ係数の生成の手法としては、たとえば最小二乗誤差（ＭＭＳＥ：Ｍｉｎｉｍｕｍ  Ｍｅａｎ  Ｓｑｕａｒｅ  Ｅｒｒｏｒ）規範を使用する。ＭＭＳＥ規範のフィルタ係数生成手法としては、たとえばＳＭＩ（Ｓａｍｐｌｅ  Ｍａｔｒｉｘ  Ｉｎｖｅｒｓｉｏｎ）という手法が知られている。この手法では、参照信号と、対応するフィルタされる対象の信号（受信信号）とを入力し、これらの最小二乗誤差を出力する構成において、出力される最小二乗誤差が最小となるようにフィルタを構成する。差動復調結果を再符号化して再度差動変調をかけることによって、参照信号を生成し、空間フィルタリングの機能が実現できる。この結果、フィルタ部６を通過した信号は干渉が抑圧された状態となる。差動復調部７および判定部８は、差動復調部３および仮判定部４と同様の処理をフィルタ部６からの出力信号に対して行う。フィルタ部６のフィルタ係数が適切に構成されていれば、差動復調部７および判定部８において差動復調処理および判定処理が行われて得られた判定結果は、仮判定部４での判定結果である仮判定結果よりも受信品質が改善されていることが期待できる。
【００１８】
仮判定部４における判定結果、および判定部８における判定結果は選択部９に入力され、選択部９は、入力された判定結果のうち、より高品質な方を選択し、最終的な判定結果として出力する。判定結果の選択手段としては、仮判定部４および判定部８が軟判定値を出力する場合、それらを統計的に比較して、一定の時間間隔で選択を切り替える手法が考えられる。選択に用いる統計量としては、軟判定値の絶対値の分散値が考えられる。また、軟判定値を用いず、差動復調結果直後の信号（差動復調部３および７から出力される信号）から、変調成分を除いた値の分散を用いてもよい（図１では差動復調部３および７から選択部９への信号線（信号出力経路）は図示していない）。たとえば変調がＱＰＳＫであれば、各信号点は９０度毎に４点分布しているので、位相を４逓倍することで、理想的な受信信号点を１箇所に集め、その値の位相分散値を用いることで、選択に用いる品質の指標とできる。このほかに、フレーム同期処理において同期する直後までフィルタを通過しない受信信号を用いるなど、起動直後はフィルタの係数が求められていないことを想定し、同期処理に連動して選択操作を制御してもよい。
【００１９】
このように、本実施の形態にかかる受信装置は、差動符号化を適用した通信システムにおいて、受信信号を差動復調して第１の判定値を生成するとともに、この第１の判定値を差動変調して参照信号を生成し、生成した参照信号に基づいて、差動復調前の受信信号をフィルタリングし、フィルタリング後の受信信号を差動復調して第２の判定値を生成し、第１の判定値と第２の判定値の一方を最終的な判定結果として選択する。
【００２０】
本実施の形態にかかる受信装置によれば、差動符号化を適用するシステムにおいて、通信のフレームに付加されている量が少ない既知系列を参照信号とするかわりに、仮判定結果を参照信号として用いるので、第１の判定値（仮判定値）の品質が一定以上であるときに、フィルタを用いて干渉を抑圧した信号を生成し、これを差動復調して判定値を得ることが可能となるので、受信性能を向上させることができる。また、通信のフレーム中に同期用に付加された既知信号のみを使って生成したフィルタ係数は、伝搬路応答の変動に応じて更新が必要であるが、本実施形態の受信装置においては、参照信号を未知のデータ部分の受信信号に対しても継続的に供給し、伝搬路変動に対して追従することができる。
【００２１】
本実施の形態では、受信アンテナ１を２本備えた構成の受信装置の例を示したが、２本以上備えた構成の受信装置であれば本発明を実施可能である。受信アンテナ数が２本以上ある場合も、ＲＦ部２ではそれぞれの受信アンテナに対応した周波数変換、帯域制限用のフィルタリングなどを受信ブランチ毎に実施し、差動復調部３でそれぞれ差動復調した結果を加算しダイバーシチ合成して仮判定を行う。フィルタ部６は、入力が受信ブランチ数、出力が１の空間フィルタを構成すればよい。このほか、受信アンテナ増加によるダイバーシチ方法を選択ダイバーシチに変更もしくは組み合わせた構成としても、選択ダイバーシチで選ばれるブランチ数が２本以上であれば、同様に本発明を実施可能である。また、本実施の形態の構成である図１においては、仮判定値を生成する受信信号の流れを構成する差動復調、判定処理が複数の箇所に存在するが、ハードウェアで回路構成する場合においても、回路を共通化して、スイッチによって切り替えることで、１つの差動復調部、判定部の実装によって同様の機能が実現可能である。
【００２２】
実施の形態２．
図２は、本発明にかかる受信装置の実施の形態２の構成例を示す図である。本実施の形態では、実施の形態１の受信装置（図１参照）と共通の部分については同じ符号を付して説明を省略する。本実施の形態は、差動時空間符号化方式のような送信ダイバーシチ方式を適用し、受信装置が両送信ダイバーシチブランチの信号を受信する場合に適した構成である。
【００２３】
本実施の形態の受信装置は、図２に示したように、実施の形態１の受信装置に対してフィルタ部１０、差動復調部１１および合成部１２を追加し、差動変調部５を差動時空間信号生成部１３に置き換えた構成となっている。フィルタ部１０および差動復調部１１は、実施の形態１の受信装置におけるフィルタ部６および差動復調部７と同様の処理を行う。
【００２４】
送信ダイバーシチ方式を適用する場合、複数の系列の異なる信号が生成される。ここでは、一例として、送信が２アンテナすなわちブロックが２シンボルで構成される差動時空間符号化の場合について説明する。送信側のアンテナ数が２の場合、２つの異なる信号が送信側で生成され、受信側に到達するため、２つの参照信号系列（それぞれの送信アンテナから送出される信号に相当）が存在する。そのため、差動時空間信号生成部１３は、仮判定部４で生成された仮判定値に対して各送信アンテナに対応する差動符号化を行い２つの参照信号を生成する。そして、フィルタ部６が一方の参照信号を、フィルタ部１０がもう一方の参照信号を用いたフィルタを構成してフィルタリングを行い、差動復調部７はフィルタ部６から出力された信号を差動復調し、差動復調部１１はフィルタ部１０から出力された信号を差動復調して出力する。その後、差動復調部７および１１から出力された各受信信号を合成部１２にて合成して判定部８に渡す。合成部１２における合成処理としては、たとえば各時刻の両差動復調結果を加算して生成する手法が考えられる。
【００２５】
以上のように、本実施の形態によれば、各送信信号を復元、合成し、差動時空間符号化などの送信ダイバーシチを適用する方式において受信性能の改善が期待できる。なお、差動時空間符号化を使う場合は、図２のように送信ダイバーシチの全ブランチの信号に対してそれぞれフィルタリングおよび差動復調し合成することは必須ではなく、図１のように単一の参照信号をもとに送信ダイバーシチの一方の信号のみを受信するようにフィルタを構成してもよい。これによって、送信ダイバーシチの一方しか受信できることを期待できないシステムでは回路規模および消費電力の面で有効な効果を得られる。また、同様に３アンテナ以上の送信アンテナで構成される送信ダイバーシチの場合、そのうちの２つ以下の送信ダイバーシチブランチに対して同様に並列にフィルタ・差動復調器を並べるように構成してもよい。
【００２６】
実施の形態３．
図３は、本発明にかかる受信装置の実施の形態３の構成例を示す図である。本実施の形態では、実施の形態１の受信装置（図１参照）と共通の部分については同じ符号を付して説明を省略する。本実施の形態の受信装置においては、仮判定値に加えて、フレーム構成に含まれるシンクワードなどの既知系列を利用する。
【００２７】
本実施の形態の受信装置は、図３に示したように、実施の形態１の受信装置（図１参照）に対して同期制御部１４を追加し、差動変調部５を参照信号生成部１５に置き換えた構成となっている。
【００２８】
差動時空間符号化などの差動変調方式を使用する方式においては、パイロット信号は通常挿入されないが、ビットタイミング同期、フレーム同期、周波数同期等の目的で、図４に示したフレーム構成例のようにフレームの一部がシンクワード、プリアンブルなどと呼ばれる既知系列で構成される。本発明にかかる受信装置においては、仮判定結果を用いて生成される参照信号系列について、生成元の仮判定に誤りが存在するとその後のすべての参照信号も誤ってしまい、問題となる。この問題に対し、長いシンボル区間のデータ列がシンクワード、プリアンブル部分が固定の信号パターンであれば、差動符号化系列をいったん打ち切ることで、誤り伝搬を防ぐことができる。既知系列部分は、受信側で同期確立後にどの時刻に受信されるかが予想できるので、既知系列の受信時刻には参照信号をその既知信号に切り替えることでフィルタリングの精度をより向上させることができる。
【００２９】
同期制御部１４は、たとえば、判定パターンのビット列からシンクワードの検出によってフレーム同期を行い、現在処理中のシンボルの番号などの時刻情報や、シンクワードやプリアンブル等の既知系列を参照信号生成部１５に供給する。参照信号生成部１５は、同期制御部１４から受け取った時刻情報に基づき、処理中の信号が既知系列か否かを判別し、既知系列であれば、既知系列を参照信号としてフィルタ部６に供給し、既知系列ではないデータ部であれば、図１に示した差動変調部５と同様に、差動変調則に基づいて、仮判定結果を再度差動変調した信号を参照信号としてフィルタ部６に供給する。
【００３０】
このように、本実施の形態の構成を適用することで、参照信号の品質が向上し、フィルタリング精度も向上する。その結果、受信データの品質向上を実現できる。また、既知系列部の参照信号が差動符号化方式に依存しなくなるため、既知系列部として、差動時空間符号化や差動変調方式以外の系列を使って無線伝送することも可能となる。
【００３１】
なお、本実施の形態では、図１に示した実施の形態１の受信装置に対して同期制御部１４を追加するなどして変形する例を説明したが、図２に示した実施の形態２の受信装置をベースとして同様に変形することも可能である。また、同期制御部１４の入力信号を、判定部からのビット列の信号としたが、差動復調前のフィルタ部６の出力信号や、ＲＦ部２の出力信号を同期制御部１４による同期検出のための入力信号として与えてもよい。
【００３２】
なお、各実施の形態においては、差動変調方式、特に差動時空間変調方式を例に挙げて説明を行ったが、差動時空間変調方式と知られるＤＳＴＢＣの他に、同様にブロック単位で差動変調処理を行って信号を行列単位で伝送するＤＳＴＭを伝送する場合にも本発明を適用することができ、同様の効果を得ることができる。また、端末が高速移動する環境では、ＭＭＳＥフィルタを形成するための参照信号系列長を調整したり、ＩＩＲ（Ｉｎｆｉｎｉｔｅ  Ｉｍｐｕｌｓｅ  Ｒｅｓｐｏｎｓｅ）などによる時間軸方向の平均化処理をフィルタの係数生成処理に組み込むことで、伝搬路の変動に追従することができるようになる。また、実施の形態全体について仮判定結果を適応フィルタの参照信号として使用する例を示したが、選択部９の出力を参照信号としてフィードバックしてもよい。
【００３３】
各実施の形態によれば、列車無線などの高速移動による伝搬路変動の大きい通信システムにおいて、差動変調を使いながら伝送帯域を広帯域化できるとともに、高性能な受信装置を実現できるという効果を得られる。
【産業上の利用可能性】
【００３４】
以上のように、本発明にかかる受信装置は、差動符号化を適用した通信システムに有用であり、特に、差動時空間符号化された信号の受信装置に適している。
【符号の説明】
【００３５】
１  受信アンテナ、２  ＲＦ部、３，７，１１  差動復調部、４  仮判定部、５  差動変調部、６，１０  フィルタ部、８  判定部、９  選択部、１２  合成部、１３  差動時空間信号生成部、１４  同期制御部、１５  参照信号生成部。
【図１】
2015154449.tif 000003
【図２】
2015154449.tif 000004
【図３】
2015154449.tif 000005
【図４】
2015154449.tif 000006